(57)【要約】      （修正有）【課題】樹脂部材より露呈するピン軸端の色彩やシボ模様を樹脂部材の色彩やシボ模様に調和させることにより見映えを良くした樹脂部材枢着用ピンを提供する。【解決手段】車室内にアシストグリップなどの樹脂部材を起伏自在に枢着する樹脂部材枢着用ピンに関する考案であり、金属製のピン本体１の端部に小径部５を形成し、その外周に樹脂部材と同色の樹脂キャップ７をインサート成形することにより、ピン本体１の端部を被覆する。これにより樹脂部材より露呈するピン軸端の見映えを良くすることができる。なお、ピン本体１の端部を小径に圧造したうえ、樹脂抜け止め用の溝６を転造することが好ましい。【選択図】図２
0003139847.tif 000002
【実用新案登録請求の範囲】
【請求項１】
車室内に樹脂部材を起伏自在に枢着する樹脂部材枢着用ピンであって、金属製のピン本体の端部に、樹脂部材と同色の樹脂キャップをインサート成形することにより、ピン本体の端部を被覆したことを特徴とする樹脂部材枢着用ピン。
【請求項２】
樹脂キャップが、樹脂部材と材質または樹脂特性が同一または類似の樹脂からなることを特徴とする請求項１に記載の樹脂部材枢着用ピン。
【請求項３】
ピン本体の端部が小径に圧造されたうえ、樹脂抜け止め用の溝が転造され、その外周にピン本体の外径または樹脂部材の孔径と同径の樹脂キャップがインサート成形されたことを特徴とする請求項１に記載の樹脂部材枢着用ピン。
【請求項４】
ピン本体の端部の樹脂キャップに隣接する位置に、抜け止め用ローレットが形成されていることを特徴とする請求項１に記載の樹脂部材枢着用ピン。
【請求項５】
抜け止め用ローレットと樹脂抜け止め用の溝とが、ピン本体に同時に転造加工されたものであることを特徴とする請求項４に記載の樹脂部材枢着用ピン。
【考案の詳細な説明】
【技術分野】
【０００１】
本考案は、自動車の車室内にアシストグリップなどの樹脂部材を起伏自在に枢着するための樹脂部材枢着用ピンに関するものである。
【背景技術】
【０００２】
アシストグリップは、昇降時や車体が揺れたりしたとき等に乗員が掴まるために自動車車室内の天井部に設けられる樹脂部材であって、固定式のものと、使用状態と収納状態との二つの状態を取り得るように起伏自在に支持された可動式のものとがある。このうち可動式のアシストグリップは、車室に固定された取付ベースの軸受と、該軸受を抱持するアシストグリップの軸受との間に、金属製の樹脂部材枢着用ピンを打ち込むことにより起伏自在に枢着されている（例えば、特許文献１、２）。
【０００３】
しかし、ピン本体の基端をプラスチックハンマ等で叩いて軸受間に打ち込むため、ピン本体の基端はアシストグリップの表面より露呈されることとなる。露呈される軸端は金属色であるため、樹脂部材であるアシストグリップの色彩やシボ模様と調和せず、見映えが悪くなるという問題があった。
【特許文献１】特開２００２−２２５６１３号公報
【特許文献２】特開２００２−２３４３７２号公報
【考案の開示】
【考案が解決しようとする課題】
【０００４】
本考案は上記した従来の問題点を解決し、アシストグリップなどの樹脂部材より露呈するピン軸端の色彩やシボ模様を樹脂部材の色彩やシボ模様に調和させることにより見映えを良くした樹脂部材枢着用ピンを提供することを目的とするものである。
【課題を解決するための手段】
【０００５】
上記の課題を解決するためになされた本考案は、車室内に樹脂部材を起伏自在に枢着する樹脂部材枢着用ピンであって、金属製のピン本体の端部に樹脂部材と同色の樹脂キャップをインサート成形することにより、ピン本体の端部を被覆したことを特徴とするものである。
【０００６】
本考案においては請求項２のように、樹脂キャップを、樹脂部材と材質または樹脂特性が同一または類似の樹脂からなるものとすることができる。
【０００７】
また請求項３のように、ピン本体の端部が小径に圧造されたうえ、樹脂抜け止め用の溝が転造され、その外周にピン本体の外径または樹脂部材の孔径と同径の樹脂キャップがインサート成形された構造とすることが好ましい。
【０００８】
さらに請求項４のように、ピン本体の端部の樹脂キャップに隣接する位置に、抜け止め用ローレットが形成された構造とすることが好ましく、この場合には請求項５のように、抜け止め用ローレットと樹脂抜け止め用の溝とが、ピン本体に同時に転造加工されたものであることが好ましい。
【考案の効果】
【０００９】
本考案の樹脂部材枢着用ピンは、金属製のピン本体の端部が樹脂部材と同色の樹脂キャップをインサート成形することにより被覆されているので、従来のように金属部が露出することがなくなり、見映えがよいうえに従来品と同様の強度を備えたものである。
【００１０】
特に請求項２のように樹脂キャップを樹脂部材と材質または樹脂特性が同一または類似の樹脂同質の樹脂からなるものとすれば、更に見映えを良くすることができる。
【００１１】
また請求項３のように、ピン本体の端部が小径に圧造されたうえ、樹脂抜け止め用の溝が転造され、その外周にピン本体の外径または樹脂部材の孔径と同径の樹脂キャップがインサート成形された構造とすれば、樹脂キャップがピン本体の端部から脱落するおそれがなくなる。しかも圧造と転造とにより樹脂キャップをインサート成形する部分が形成され、手数のかかる切削加工が不要であるから、製造コストの削減が可能である。
【００１２】
また請求項４のように、ピン本体の端部の樹脂キャップに隣接する位置に、抜け止め用ローレットが形成された構造とすれば、軸受に打ち込まれた樹脂部材枢着用ピンの脱落を確実に防止することができる。
【００１３】
この場合、請求項５のように、抜け止め用ローレットと樹脂抜け止め用の溝とをピン本体に同時に転造加工すれば、加工工数を削減してコストダウンを図ることができる。
【考案を実施するための最良の形態】
【００１４】
次に、本考案の実施形態を図面に基づいて詳細に説明する。
図１に示すように、樹脂部材枢着用ピンはアシストグリップなどの樹脂部材２を車室側の軸止金具３に枢着するためのピンである。この樹脂部材枢着用ピンは、図２に示すように金属製のピン本体１の一方の端部に、ピン本体１と同径となるように樹脂キャップ７をインサート成形したものである。
【００１５】
樹脂キャップ７はこの樹脂部材２と同色の樹脂からなるものである。また樹脂部材２の樹脂表面にはシボ模様が形成されていることが多く、その場合には樹脂キャップ７の端面にも同じシボ模様を形成しておくことが好ましい。さらに樹脂キャップ７は、樹脂部材２と材質または樹脂特性が同一または類似の樹脂からなることが好ましく、例えばともにポリプロピレン製とする。このほか、ポリアセタール樹脂、ポリブチレンテレフタレート樹脂などを用いることもできる。
【００１６】
このように本考案の樹脂部材枢着用ピンは、ピン本体１の端部が樹脂部材２と同色の樹脂キャップ７をインサート成形することにより被覆されているので、図１に示すように樹脂部材２のピン挿入孔から露出する端部が樹脂部材２と同色の樹脂となる。このため従来のように金属色が目立つことがなく見映えがよくなり、高級感を出すことができる。
【００１７】
インサート成形された樹脂キャップ７の外径は、ピン本体１の外径と同一である。このためピン本体１の端部は予め他の部分よりも細径となるように加工しておく必要があり、通常は切削加工が行われる。しかしこのような小型部品を切削加工するには多くのコストがかかるので、本考案では圧造と転造とにより樹脂キャップ７をインサート成形する部分が形成されている。
【００１８】
図３と図４はその工程を示す図であり、先ず図３に示すようにピン本体１の端部をダイス間で圧造することによって小径部５を形成したうえ、図４に示すようにその小径部５に樹脂抜け止め用の溝６となる環状溝を転造により加工する。
【００１９】
またこの樹脂抜け止め用の溝６の転造加工と同時に、ピン本体１の樹脂キャップ７に隣接する位置に、抜け止め用ローレット４を転造する。これらの樹脂抜け止め用の溝６と抜け止め用ローレット４との転造は同一の転造ダイスにより１工程で行なうことができる。なおこの抜け止め用ローレット４は、車室内に取り付けられた軸支金具３の軸孔に嵌合されることにより、軸ピン１を抜け止め固定するためのものである。
【００２０】
このように圧造と転造とにより小径部５を形成したうえ、ピン本体１の全体が亜鉛めっきされ、小径部５の外周に樹脂キャップ７がインサート成形される。切削加工に比較して圧造と転造とによる加工はコストがかからず、小物製品の量産に適している。
【００２１】
なお、８はピン本体１の他端に形成されるテーパ部であり、該テーパ部８により軸止金具３への打ち込みを円滑にしている。
【００２２】
以上に説明したように、本考案の樹脂部材枢着用ピンは、ピン本体１の端部が樹脂部材２と同色の樹脂キャップ７により被覆されているので、金属色が目立つことがなく見映えがよくなり、高級感を出すことができる。また製造コストが安価となるうえ、ピン本体１は金属製であって従来品と同様の機能を発揮することができる。なお、樹脂部材はアシストフリップに限定されるものではなく、車室内に枢着される各種の樹脂部材であってもよいことはいうまでもない。
【図面の簡単な説明】
【００２３】
【図１】本考案の樹脂部材枢着用ピンの使用状態を示す斜視図である。
【図２】本考案の樹脂部材枢着用ピンの実施形態を示す一部切欠正面図である。
【図３】圧造されたピン本体を示す正面図である。
【図４】転造されたピン本体を示す正面図である。
【符号の説明】
【００２４】
１  ピン本体
２  樹脂部材
３  軸止金具
４  抜け止め用ローレット
５  小径部
６  環状溝
７  樹脂キャップ
８  テーパ部
【図１】
0003139847.tif 000003
【図２】
0003139847.tif 000004
【図３】
0003139847.tif 000005
【図４】
0003139847.tif 000006